(57)【要約】  本願の実施例はデータ処理の方法及び装置を開示し、ＲＬＣキャッシュメモリにおけるデータに対する処理を実現できる。該方法は、端末装置が第一指示情報に基づき、データコピー伝送機能の現在の状態を制御し、前記第一指示情報が前記データコピー伝送機能を有効にするかどうかを指示することに用いられることと、前記端末装置が前記データコピー伝送機能の現在の状態に基づき、第一無線リンク制御（ＲＬＣ）キャッシュメモリ及び第二ＲＬＣキャッシュメモリにおける各ＲＬＣサービスデータユニット（ＳＤＵ）を処理し、前記第一ＲＬＣキャッシュメモリが第一ＲＬＣ実体に対応し、前記第二ＲＬＣキャッシュメモリが第二ＲＬＣ実体に対応する。
2020532159.tif 000002
【特許請求の範囲】
【請求項１】
データ処理の方法であって、
端末装置が第一指示情報に基づき、データコピー伝送機能の現在の状態を制御し、前記第一指示情報が前記データコピー伝送機能を有効にするかどうかを指示することに用いられることと、
前記端末装置が前記データコピー伝送機能の現在の状態に基づき、第一無線リンク制御（ＲＬＣ）キャッシュメモリ及び第二ＲＬＣキャッシュメモリにおける各ＲＬＣサービスデータユニット（ＳＤＵ）を処理し、前記第一ＲＬＣキャッシュメモリが第一ＲＬＣ実体に対応し、前記第二ＲＬＣキャッシュメモリが第二ＲＬＣ実体に対応することとを、含むことを特徴とするデータ処理の方法。
【請求項２】
前記端末装置が前記データコピー伝送機能の現在の状態に基づき、第一無線リンク制御（ＲＬＣ）キャッシュメモリ及び第二ＲＬＣキャッシュメモリにおける各ＲＬＣサービスデータユニット（ＳＤＵ）を処理することは、
前記端末装置が前記データコピー伝送機能の現在の状態に基づき、前記第一ＲＬＣキャッシュメモリ及び前記第二ＲＬＣキャッシュメモリにおける各ＲＬＣ  ＳＤＵに対応するタイマーの状態を制御し、前記各ＲＬＣ  ＳＤＵに対応するタイマーは前記各ＲＬＣ  ＳＤＵがＲＬＣキャッシュメモリを占用する時間を制御することに用いられることと、
前記端末装置が前記各ＲＬＣ  ＳＤＵに対応するタイマーの状態に基づき、前記各ＲＬＣ  ＳＤＵを処理することと、含むことを特徴とする請求項１に記載の方法。
【請求項３】
前記各ＲＬＣ  ＳＤＵに対応するタイマーの時間長さが同一であることを特徴とする請求項２に記載の方法。
【請求項４】
少なくとも２つのＲＬＣ  ＳＤＵに対応するタイマーの時間長さが異なることを特徴とする請求項２に記載の方法。
【請求項５】
前記端末装置が前記データコピー伝送機能の現在の状態に基づき、前記第一ＲＬＣキャッシュメモリ及び前記第二ＲＬＣキャッシュメモリにおける各ＲＬＣ  ＳＤＵに対応するタイマーの状態を制御することは、
前記データコピー伝送機能がオン状態にあると、前記第一ＲＬＣキャッシュメモリ及び前記第二ＲＬＣキャッシュメモリにおける各ＲＬＣ  ＳＤＵに対応するタイマーをオンにすること、又は
前記データコピー伝送機能がオフ状態にあると、前記第一ＲＬＣキャッシュメモリ及び前記第二ＲＬＣキャッシュメモリにおける各ＲＬＣ  ＳＤＵに対応するタイマーを停止し、又は前記第二ＲＬＣキャッシュメモリにおける各ＲＬＣ  ＳＤＵに対応するタイマーを停止し、前記第一ＲＬＣキャッシュメモリにおける各ＲＬＣ  ＳＤＵに対応するタイマーをオンにし続けること、を含むことを特徴とする請求項２〜４のいずれか一項に記載の方法。
【請求項６】
前記第一ＲＬＣキャッシュメモリが第一ＲＬＣ  ＳＤＵを含み、前記第一ＲＬＣ  ＳＤＵが第一タイマーに対応し、前記端末装置が前記各ＲＬＣ  ＳＤＵに対応するタイマーの状態に基づき、前記各ＲＬＣ  ＳＤＵを処理することは、
前記第一タイマーがタイムアウトする前、前記第一ＲＬＣ  ＳＤＵが既に第一ＲＬＣ  ＰＤＵを生成した場合、前記端末装置が前記第一ＲＬＣ  ＰＤＵを媒体アクセス制御（ＭＡＣ）実体に送信すること、又は
前記第一タイマーがタイムアウトした場合、前記第一ＲＬＣ  ＳＤＵが前記第一ＲＬＣ  ＰＤＵを生成していないと、前記端末装置が前記第一ＲＬＣ  ＳＤＵを廃棄すること、を含むことを特徴とする請求項２〜５のいずれか一項に記載の方法。
【請求項７】
前記方法はさらに、
前記第一タイマーがタイムアウトした場合、前記第一ＲＬＣ  ＳＤＵが前記第一ＲＬＣ  ＰＤＵを生成していないと、前記端末装置が前記第一タイマーをリセットすること、又は
前記第一タイマーがタイムアウトする前、前記第一ＲＬＣ  ＳＤＵが既に前記第一ＲＬＣ  ＰＤＵを生成した場合、前記端末装置が前記第一タイマーを停止すること、を含むことを特徴とする請求項６に記載の方法。
【請求項８】
前記端末装置が前記データコピー伝送機能の現在の状態に基づき、第一無線リンク制御（ＲＬＣ）キャッシュメモリ及び第二ＲＬＣキャッシュメモリにおける各ＲＬＣサービスデータユニット（ＳＤＵ）を処理することは、
前記第二ＲＬＣ実体のデータコピー伝送機能がオフ状態にある場合では、前記第二ＲＬＣキャッシュメモリにおける各ＲＬＣ  ＳＤＵを廃棄すること、を含むことを特徴とする請求項１〜７のいずれか一項に記載の方法。
【請求項９】
前記第二ＲＬＣキャッシュメモリが第二ＲＬＣ  ＳＤＵを含み、前記第二ＲＬＣ  ＳＤＵが第二タイマーに対応し、前記端末装置が前記データコピー伝送機能の現在の状態に基づき、第一無線リンク制御（ＲＬＣ）キャッシュメモリ及び第二ＲＬＣキャッシュメモリにおける各ＲＬＣサービスデータユニット（ＳＤＵ）を処理することは、
前記第二ＲＬＣ実体のデータコピー伝送機能がオフ状態にある前、前記第二ＲＬＣ  ＳＤＵが既に第二ＲＬＣ  ＰＤＵを生成した場合、前記端末装置がネットワーク装置に前記第二ＲＬＣ  ＰＤＵを伝送し又は前記第二ＲＬＣ  ＰＤＵを廃棄すること、を含むことを特徴とする請求項１〜８のいずれか一項に記載の方法。
【請求項１０】
前記端末装置がネットワーク装置に前記第二ＲＬＣ  ＰＤＵを伝送し又は前記第二ＲＬＣ  ＰＤＵを廃棄することは、
前記ネットワーク装置が既に前記第一ＲＬＣキャッシュメモリにおける前記第二ＲＬＣ  ＳＤＵのコピーデータを成功的に受信した場合、前記端末装置が前記第二ＲＬＣ  ＰＤＵを廃棄すること、又は
前記ネットワーク装置が、前記第一ＲＬＣキャッシュメモリにおける前記第二ＲＬＣ  ＳＤＵのコピーデータを成功的に受信できていない場合、前記端末装置が前記ネットワーク装置に前記第二ＲＬＣ  ＰＤＵを伝送すること、を含むことを特徴とする請求項９に記載の方法。
【請求項１１】
前記端末装置が第一指示情報に基づき、データコピー伝送機能の現在の状態を制御することは、
前記第一指示情報が前記データコピー伝送機能を有効にすると指示すると、前記端末装置が前記データコピー伝送機能をオンにするように制御すること、又は
前記第一指示情報が前記データコピー伝送機能を無効にすると指示すると、前記端末装置が前記データコピー伝送機能をオフにするように制御すること、を含むことを特徴とする請求項１〜１０のいずれか一項に記載の方法。
【請求項１２】
前記方法はさらに、
前記端末装置はネットワーク装置が送信したＭＡＣ制御要素（ＣＥ）を受信し、前記ＭＡＣ  ＣＥが前記第一指示情報を含むことを含むことを特徴とする請求項１〜１１のいずれか一項に記載の方法。
【請求項１３】
前記第一指示情報が具体的に、前記第二ＲＬＣ実体のデータコピー伝送機能を停止すると指示することに用いられることを特徴とする請求項１２に記載の方法。
【請求項１４】
前記方法はさらに、
前記データコピー伝送機能がオン状態にあると、前記端末装置のパケットデータ収束プロトコル（ＰＤＣＰ）実体が伝送対象のＰＤＣＰパケットデータユニット（ＰＤＵ）を２つにコピーし、且つそれぞれ前記第一ＲＬＣ実体及び前記第二ＲＬＣ実体に送信すること、又は
前記データコピー伝送機能がオフ状態にあると、前記端末装置のＰＤＣＰ実体が伝送対象のＰＤＣＰ  ＰＤＵを前記第一ＲＬＣ実体に送信すること、又は
前記データコピー伝送機能がオフ状態にあると、前記端末装置のＰＤＣＰ実体が伝送対象の第一ＰＤＣＰ  ＰＤＵを前記第一ＲＬＣ実体に送信し、伝送対象の第二ＰＤＣＰ  ＰＤＵを前記第二ＲＬＣ実体に送信し、前記第一ＰＤＣＰ  ＰＤＵと前記第二ＰＤＣＰ  ＰＤＵとが異なること、を含むことを特徴とする請求項１〜１３のいずれか一項に記載の方法。
【請求項１５】
データ処理の装置であって、
前記データコピー伝送機能を有効にするかどうかを指示するための第一指示情報に基づき、データコピー伝送機能の現在の状態を制御するための制御モジュールと、
前記データコピー伝送機能の現在の状態に基づき、第一無線リンク制御（ＲＬＣ）キャッシュメモリ及び第二ＲＬＣキャッシュメモリにおける各ＲＬＣサービスデータユニット（ＳＤＵ）を処理することに用いられ、前記第一ＲＬＣキャッシュメモリが第一ＲＬＣ実体に対応し、前記第二ＲＬＣキャッシュメモリが第二ＲＬＣ実体に対応する処理モジュールと、含むことを特徴とするデータ処理の装置。
【請求項１６】
前記処理モジュールは、
前記データコピー伝送機能の現在の状態に基づき、前記第一ＲＬＣキャッシュメモリ及び前記第二ＲＬＣキャッシュメモリにおける各ＲＬＣ  ＳＤＵに対応するタイマーの状態を制御し、前記各ＲＬＣ  ＳＤＵに対応するタイマーは前記各ＲＬＣ  ＳＤＵがＲＬＣキャッシュメモリを占用する時間を制御することに用いられることと、
前記各ＲＬＣ  ＳＤＵに対応するタイマーの状態に基づき、前記各ＲＬＣ  ＳＤＵを処理することと、用いられることを特徴とする請求項１５に記載の装置。
【請求項１７】
前記各ＲＬＣ  ＳＤＵに対応するタイマーの時間長さが同一であることを特徴とする請求項１６に記載の装置。
【請求項１８】
少なくとも２つのＲＬＣ  ＳＤＵに対応するタイマーの時間長さが異なることを特徴とする請求項１６に記載の装置。
【請求項１９】
前記処理モジュールはさらに、
前記データコピー伝送機能がオン状態にあると、前記第一ＲＬＣキャッシュメモリ及び前記第二ＲＬＣキャッシュメモリにおける各ＲＬＣ  ＳＤＵに対応するタイマーをオンにすること、又は
前記データコピー伝送機能がオフ状態にあると、前記第一ＲＬＣキャッシュメモリ及び前記第二ＲＬＣキャッシュメモリにおける各ＲＬＣ  ＳＤＵに対応するタイマーを停止し、又は前記第二ＲＬＣキャッシュメモリにおける各ＲＬＣ  ＳＤＵに対応するタイマーを停止し、前記第一ＲＬＣキャッシュメモリにおける各ＲＬＣ  ＳＤＵに対応するタイマーをオンにし続けること、に用いられることを特徴とする請求項１６〜１８のいずれか一項に記載の装置。
【請求項２０】
前記第一ＲＬＣキャッシュメモリが第一ＲＬＣ  ＳＤＵを含み、前記第一ＲＬＣ  ＳＤＵが第一タイマーに対応し、前記処理モジュールはさらに、
前記第一タイマーがタイムアウトする前、前記第一ＲＬＣ  ＳＤＵが既に第一ＲＬＣ  ＰＤＵを生成した場合、前記第一ＲＬＣ  ＰＤＵを媒体アクセス制御（ＭＡＣ）実体に送信すること、又は
前記第一タイマーがタイムアウトした場合、前記第一ＲＬＣ  ＳＤＵが前記第一ＲＬＣ  ＰＤＵを生成していないと、前記第一ＲＬＣ  ＳＤＵを廃棄すること、に用いられることを特徴とする請求項１６〜１９のいずれか一項に記載の装置。
【請求項２１】
前記処理モジュールはさらに、
前記第一タイマーがタイムアウトした場合、前記第一ＲＬＣ  ＳＤＵが前記第一ＲＬＣ  ＰＤＵを生成していないと、前記第一タイマーをリセットすること、又は
前記第一タイマーがタイムアウトする前、前記第一ＲＬＣ  ＳＤＵが既に前記第一ＲＬＣ  ＰＤＵを生成した場合、前記第一タイマーを停止すること、に用いられることを特徴とする請求項２０に記載の装置。
【請求項２２】
前記処理モジュールはさらに、
前記第二ＲＬＣ実体のデータコピー伝送機能がオフ状態にある場合では、前記第二ＲＬＣキャッシュメモリにおける各ＲＬＣ  ＳＤＵを廃棄することに用いられることを特徴とする請求項１５〜２１のいずれか一項に記載の装置。
【請求項２３】
前記第二ＲＬＣキャッシュメモリが第二ＲＬＣ  ＳＤＵを含み、前記第二ＲＬＣ  ＳＤＵが第二タイマーに対応し、前記処理モジュールはさらに、
前記第二ＲＬＣ実体のデータコピー伝送機能がオフ状態にある前、前記第二ＲＬＣ  ＳＤＵが既に第二ＲＬＣ  ＰＤＵを生成した場合、ネットワーク装置に前記第二ＲＬＣ  ＰＤＵを伝送し又は前記第二ＲＬＣ  ＰＤＵを廃棄することに用いられることを特徴とする請求項１５〜２２のいずれか一項に記載の装置。
【請求項２４】
前記処理モジュールは具体的に、
前記ネットワーク装置が既に前記第一ＲＬＣキャッシュメモリにおける前記第二ＲＬＣ  ＳＤＵのコピーデータを成功的に受信した場合、前記第二ＲＬＣ  ＰＤＵを廃棄すること、又は
前記ネットワーク装置が、前記第一ＲＬＣキャッシュメモリにおける前記第二ＲＬＣ  ＳＤＵのコピーデータを成功的に受信できていない場合、前記ネットワーク装置に前記第二ＲＬＣ  ＰＤＵを伝送すること、に用いられることを特徴とする請求項２３に記載の装置。
【請求項２５】
前記制御モジュールは具体的に、
前記第一指示情報が前記データコピー伝送機能を有効にすると指示すると、前記データコピー伝送機能をオンにするように制御すること、又は
前記第一指示情報が前記データコピー伝送機能を無効にすると指示すると、前記データコピー伝送機能をオフにするように制御すること、に用いられることを特徴とする請求項１５〜２４のいずれか一項に記載の装置。
【請求項２６】
前記装置はさらに、
ネットワーク装置が送信したＭＡＣ制御要素（ＣＥ）を受信することに用いられ、前記ＭＡＣ  ＣＥが前記第一指示情報を含む通信モジュールを含むことを特徴とする請求項１５〜２５のいずれか一項に記載の装置。
【請求項２７】
前記第一指示情報が具体的に、前記第二ＲＬＣ実体のデータコピー伝送機能を停止すると指示することに用いられることを特徴とする請求項２６に記載の装置。
【請求項２８】
前記装置はさらに、
前記データコピー伝送機能がオン状態にある場合では、伝送対象のＰＤＣＰパケットデータユニット（ＰＤＵ）を２つにコピーし、且つそれぞれ前記第一ＲＬＣ実体及び前記第二ＲＬＣ実体に送信すること、又は
前記データコピー伝送機能がオフ状態にある場合では、伝送対象のＰＤＣＰ  ＰＤＵを前記第一ＲＬＣ実体に送信すること、又は
前記データコピー伝送機能がオフ状態にある場合では、伝送対象の第一ＰＤＣＰ  ＰＤＵを前記第一ＲＬＣ実体に送信し、伝送対象の第二ＰＤＣＰ  ＰＤＵを前記第二ＲＬＣ実体に送信し、前記第一ＰＤＣＰ  ＰＤＵと前記第二ＰＤＣＰ  ＰＤＵとが異なること、に用いられる送信モジュールを含むことを特徴とする請求項１５〜２７のいずれか一項に記載の装置。
【発明の詳細な説明】
【技術分野】
【０００１】
本願の実施例は通信分野に関し、より具体的に、データ処理の方法及び装置に関する。
【背景技術】
【０００２】
キャリアアグリゲーションシーンでは、パケットデータ収束プロトコル（Ｐａｃｋｅｔ  Ｄａｔａ  Ｃｏｎｖｅｒｇｅｎｃｅ  Ｐｒｏｔｏｃｏｌ、ＰＤＣＰ）層がデータコピー機能をサポートすることができ、それによりデータ伝送の信頼性を向上させ、即ち、ＰＤＣＰ実体が１つＰＤＣＰプロトコルデータユニット（Ｐｒｏｔｏｃｏｌ  Ｄａｔａ  Ｕｎｉｔ、ＰＤＵ）を２つ（又はそれ以上）にコピーすることができ、それぞれ２つの無線リンク制御（Ｒａｄｉｏ  Ｌｉｎｋ  Ｃｏｎｔｒｏｌ、ＲＬＣ）実体（又はそれ以上のＲＬＣ実体）に送信し、ＲＬＣ実体はＰＤＣＰ実体が送信したデータを受信した後、まずそれをＲＬＣキャッシュメモリ（ｂｕｆｆｅｒ）に記憶し、ネットワーク装置に伝送することを待つ。
【０００３】
従って、端末装置にとって、如何にＲＬＣキャッシュメモリにおけるデータに対する処理を実現することは早急に解決しなければならない問題になる。
【発明の概要】
【発明が解決しようとする課題】
【０００４】
本願の実施例はデータ処理の方法及び装置を提供しており、データコピー伝送機能の状態に基づき、ＲＬＣキャッシュメモリにおけるデータに対する処理を実現できる。
【課題を解決するための手段】
【０００５】
第一様態はデータ処理の方法を提供し、
端末装置が第一指示情報に基づき、データコピー伝送機能の現在の状態を制御し、前記第一指示情報が前記データコピー伝送機能を有効にするかどうかを指示することに用いられることと、
前記端末装置が前記データコピー伝送機能の現在の状態に基づき、第一無線リンク制御（ＲＬＣ）キャッシュメモリ及び第二ＲＬＣキャッシュメモリにおける各ＲＬＣサービスデータユニット（ＳＤＵ）を処理し、前記第一ＲＬＣキャッシュメモリが第一ＲＬＣ実体に対応し、前記第二ＲＬＣキャッシュメモリが第二ＲＬＣ実体に対応することと、含む。
【０００６】
本願の実施例では、前記第一指示情報が前記データコピー伝送機能を有効にするかどうかを指示することに用いられてもよく、さらにあるＲＬＣ実体のデータコピー伝送機能を無効にし又は停止することを指示することに用いられてもよい。前記第一指示情報が前記データコピー伝送機能を無効にすると指示することに用いられる場合では、前記端末装置が異なるＲＬＣ実体により異なるデータを伝送でき、又は、前記第一指示情報があるＲＬＣ実体のデータコピー伝送機能を停止すると指示することに用いられる場合、前記端末装置が停止されていない他のデータコピー伝送機能のＲＬＣ実体によりデータを伝送できる。
【０００７】
第一様態と組み合わせ、第一様態の１つの可能な実現形態では、前記端末装置が前記データコピー伝送機能の現在の状態に基づき、第一無線リンク制御（ＲＬＣ）キャッシュメモリ及び第二ＲＬＣキャッシュメモリにおける各ＲＬＣサービスデータユニット（ＳＤＵ）を処理することは、
前記端末装置が前記データコピー伝送機能の現在の状態に基づき、第一ＲＬＣキャッシュメモリ及び第二ＲＬＣキャッシュメモリにおける各ＲＬＣ  ＳＤＵに対応するタイマーの状態を制御し、前記各ＲＬＣ  ＳＤＵに対応するタイマーは前記各ＲＬＣ  ＳＤＵがＲＬＣキャッシュメモリを占用する時間を制御することに用いられることと、
前記端末装置が前記各ＲＬＣ  ＳＤＵに対応するタイマーの状態に基づき、前記各ＲＬＣ  ＳＤＵを処理することと、含む。
【０００８】
従って、本願の実施例のデータ処理の方法は、前記端末装置が各ＲＬＣ  ＳＤＵに１つのタイマーを割り当て、該タイマーにより対応するＲＬＣ  ＳＤＵがＲＬＣキャッシュメモリを占用する時間を制御しており、ＲＬＣ  ＳＤＵをネットワーク装置にタイムリーに伝送できないため、ＲＬＣキャッシュメモリを長時間占用し、キャッシュメモリが漏れるという問題を避けることに有利であり、さらに、ＲＬＣキャッシュメモリの利用率を高めることに有利である。
【０００９】
第一様態と合せて、第一様態の１つの可能な実現形態では、前記各ＲＬＣ  ＳＤＵに対応するタイマーの時間長さが同一である。
【００１０】
第一様態と合せて、第一様態の１つの可能な実現形態では、少なくとも２つのＲＬＣ  ＳＤＵに対応するタイマーの時間長さが異なる。
【００１１】
第一様態と合せて、第一様態の１つの可能な実現形態では、前記端末装置が前記データコピー伝送機能の現在の状態に基づき、第一ＲＬＣキャッシュメモリ及び第二ＲＬＣキャッシュメモリにおける各ＲＬＣ  ＳＤＵに対応するタイマーの状態を制御することは、
前記データコピー伝送機能がオン状態にあると、前記第一ＲＬＣキャッシュメモリ及び前記第二ＲＬＣキャッシュメモリにおける各ＲＬＣ  ＳＤＵに対応するタイマーをオンにすること、又は
前記データコピー伝送機能がオフ状態にあると、前記第一ＲＬＣキャッシュメモリ及び前記第二ＲＬＣキャッシュメモリにおける各ＲＬＣ  ＳＤＵに対応するタイマーを停止し、又は前記第二ＲＬＣキャッシュメモリにおける各ＲＬＣ  ＳＤＵに対応するタイマーを停止し、前記第一ＲＬＣキャッシュメモリにおける各ＲＬＣ  ＳＤＵに対応するタイマーをオンにし続けること、を含む。
【００１２】
即ち、データコピー伝送機能がオン状態にある時、前記端末装置は各ＲＬＣキャッシュメモリにおける各ＲＬＣ  ＳＤＵに対応するタイマーをオンにすること、又は、コピーデータをどのＲＬＣ実体により伝送するか、どのＲＬＣ実体に対応するＲＬＣキャッシュメモリにおけるＲＬＣ  ＳＤＵに対応するタイマーをオンにできるか、各ＲＬＣ  ＳＤＵに対応するタイマーにより前記各ＲＬＣ  ＳＤＵがＲＬＣキャッシュメモリを占用する時間を制御し、それによりＲＬＣ  ＳＤＵがＲＬＣキャッシュメモリを長時間占用するため、キャッシュメモリが漏れるという問題を避けることに有利であり、さらにＲＬＣキャッシュメモリの利用率を高めることができる。
【００１３】
データコピー伝送機能がオフ状態にある時、この場合では、異なるＲＬＣ実体が伝送したものは異なるデータであり、データコピー伝送機能を用いてデータ伝送を行うことに比べて、データ伝送の信頼性が低下し、この場合では、キャッシュメモリの占用時間を犠牲にすることによりデータ伝送の信頼性を向上させることができ、たとえば、前記端末装置は第一ＲＬＣキャッシュメモリ及び前記第二ＲＬＣキャッシュメモリにおける各ＲＬＣ  ＳＤＵに対応するタイマーをオフにするように制御でき、即ち各ＲＬＣキャッシュメモリにおけるＲＬＣ  ＳＤＵのキャッシュメモリに対する占用時間を制御せず、このように、ＲＬＣキャッシュメモリにおけるＲＬＣ  ＳＤＵ伝送が成功したら、ＲＬＣキャッシュメモリからクリアーされ、それによりデータ伝送の信頼性を向上させることに有利である。
【００１４】
従って、本願の実施例のデータ処理の方法は、データコピー伝送機能がオンになった時、データコピー伝送機能によりデータ伝送の信頼性を向上させることができるため、前記端末装置はＲＬＣ  ＳＤＵがキャッシュメモリを占用する時間を制御でき、それによりＲＬＣキャッシュメモリの利用率を高め、データコピー伝送機能がオフになった時、データコピー伝送機能によりデータ伝送の信頼性を確保できないため、この場合では、キャッシュメモリの占用時間を犠牲にすることによりデータ伝送の信頼性を向上させることができる。従って、本願の実施例のデータ処理の方法は、データ伝送信頼性を優先的に考え、データ伝送信頼性を確保できることを基礎としてキャッシュメモリ利用率を考えることができる。
【００１５】
第一様態と合せて、第一様態の１つの可能な実現形態では、前記第一ＲＬＣキャッシュメモリが第一ＲＬＣ  ＳＤＵを含み、前記第一ＲＬＣ  ＳＤＵが第一タイマーに対応し、前記端末装置が前記各ＲＬＣ  ＳＤＵに対応するタイマーの状態に基づき、前記各ＲＬＣ  ＳＤＵを処理することは、
前記第一タイマーがタイムアウトする前、前記第一ＲＬＣ  ＳＤＵが既に第一ＲＬＣ  ＰＤＵを生成した場合、前記端末装置が前記第一ＲＬＣ  ＰＤＵを媒体アクセス制御（ＭＡＣ）実体に伝送すること、又は
前記第一タイマーがタイムアウトした場合、前記第一ＲＬＣ  ＳＤＵが前記第一ＲＬＣ  ＰＤＵを生成していないと、前記端末装置が前記第一ＲＬＣ  ＳＤＵを廃棄すること、を含む。
【００１６】
第一様態と合せて、第一様態の１つの可能な実現形態では、前記方法はさらに、
前記第一タイマーがタイムアウトした場合、前記第一ＲＬＣ  ＳＤＵが前記第一ＲＬＣ  ＰＤＵを生成していないと、前記端末装置が前記第一タイマーをリセットすること、又は
前記第一タイマーがタイムアウトする前、前記第一ＲＬＣ  ＳＤＵが既に前記第一ＲＬＣ  ＰＤＵを生成した場合、前記端末装置が前記第一タイマーを停止すること、を含む。
【００１７】
従って、本願の実施例のデータ処理の方法は、端末装置がＲＬＣキャッシュメモリにおける各ＲＬＣ  ＳＤＵのために１つのタイマーをオンにすることができ、前記各ＲＬＣ  ＳＤＵに対応するタイマーにより前記各ＲＬＣ  ＳＤＵがＲＬＣキャッシュメモリを占用する時間を制御し、タイマーがタイムアウトした場合では、対応するＲＬＣ  ＳＤＵがＲＬＣ  ＰＤＵを生成していないと、該ＲＬＣ  ＳＤＵを廃棄し、又はタイマーがタイムアウトする前、対応するＲＬＣ  ＳＤＵが既にＲＬＣ  ＰＤＵを生成した場合、該タイマーを停止し、生成されたＲＬＣ  ＰＤＵをＭＡＣ実体に送信し、さらに、物理的なキャリアによりＲＬＣ  ＰＤＵをネットワーク装置に伝送できる。
【００１８】
第一様態と合せて、第一様態の１つの可能な実現形態では、前記端末装置が前記データコピー伝送機能の現在の状態に基づき、第一無線リンク制御（ＲＬＣ）キャッシュメモリ及び第二ＲＬＣキャッシュメモリにおける各ＲＬＣサービスデータユニット（ＳＤＵ）を処理することは、
前記第二ＲＬＣ実体のデータコピー伝送機能がオフ状態にある場合では、前記第二ＲＬＣキャッシュメモリにおける各ＲＬＣ  ＳＤＵを廃棄することを含む。
【００１９】
なお、前記第二ＲＬＣキャッシュメモリはデータコピー伝送機能が停止された第二ＲＬＣ実体に対応するＲＬＣキャッシュメモリであり、選択肢として、前記端末装置は前記第二ＲＬＣ実体に対応する物理的なキャリアのチャネル条件が比較的悪い場合では、前記第二ＲＬＣ実体のデータコピー伝送機能を停止でき、即ち第二ＲＬＣ実体を用いてデータを伝送することを停止する。前記第二ＲＬＣ実体のデータコピー伝送機能が端末装置によってオフになった時、前記端末装置が前記第二ＲＬＣキャッシュメモリにおける各ＲＬＣ  ＳＤＵを廃棄でき、それによりこの部分のＲＬＣ  ＳＤＵの第二ＲＬＣキャッシュメモリに対する占用を避けることに有利である。
【００２０】
第一様態と合せて、第一様態の１つの可能な実現形態では、前記第二ＲＬＣキャッシュメモリが第二ＲＬＣ  ＳＤＵを含み、前記第二ＲＬＣ  ＳＤＵが第二タイマーに対応し、前記端末装置が前記データコピー伝送機能の現在の状態に基づき、第一無線リンク制御（ＲＬＣ）キャッシュメモリ及び第二ＲＬＣキャッシュメモリにおける各ＲＬＣサービスデータユニット（ＳＤＵ）を処理することは、
前記第二ＲＬＣ実体のデータコピー伝送機能がオフ状態にある前、前記第二ＲＬＣ  ＳＤＵが既に第二ＲＬＣ  ＰＤＵを生成した場合、前記端末装置がネットワーク装置に前記第二ＲＬＣ  ＰＤＵを伝送し又は前記第二ＲＬＣ  ＰＤＵを廃棄することを含む。
【００２１】
即ち、第二ＲＬＣ実体のデータ伝送が停止される前、前記第二ＲＬＣキャッシュメモリにおける第二ＲＬＣ  ＳＤＵが既に第二ＲＬＣ  ＰＤＵを生成したが、前記端末装置がネットワーク装置に前記第二ＲＬＣ  ＰＤＵを伝送し続けることを選択してもよく、又は前記第二ＲＬＣ  ＰＤＵを廃棄してもよい。
【００２２】
第一様態と合せて、第一様態の１つの可能な実現形態では、前記端末装置がネットワーク装置に前記第二ＲＬＣ  ＰＤＵを伝送し又は前記第二ＲＬＣ  ＰＤＵを廃棄することは、
前記ネットワーク装置が既に前記第一ＲＬＣキャッシュメモリにおける前記第二ＲＬＣ  ＳＤＵのコピーデータを成功的に受信した場合、前記端末装置が前記第二ＲＬＣ  ＰＤＵを廃棄すること、又は
前記ネットワーク装置が、前記第一ＲＬＣキャッシュメモリにおける前記第二ＲＬＣ  ＳＤＵのコピーデータを成功的に受信できていない場合、前記端末装置が前記ネットワーク装置に前記第二ＲＬＣ  ＰＤＵを伝送すること、を含む。
【００２３】
即ち、前記端末装置は前記ネットワーク装置が既に前記第一ＲＬＣキャッシュメモリにおける前記第二ＲＬＣ  ＳＤＵのコピーデータを成功的に受信し、すなわち前記第二ＲＬＣ  ＳＤＵのコピーデータ伝送が成功した場合では、前記第二ＲＬＣ  ＰＤＵを廃棄でき、それにより前記第二ＲＬＣ  ＰＤＵの繰り返し伝送による資源の浪費を避けることができ、又は、前記ネットワーク装置が前記第一ＲＬＣキャッシュメモリにおける前記第二ＲＬＣ  ＳＤＵのコピーデータを成功的に受信しておらず、すなわち前記第二ＲＬＣ  ＳＤＵのコピーデータ伝送が失敗した場合では、前記ネットワーク装置に前記第二ＲＬＣ  ＰＤＵを伝送し、それによりデータ伝送の信頼性を確保できる。
【００２４】
第一様態と合せて、第一様態の１つの可能な実現形態では、前記端末装置が第一指示情報に基づき、データコピー伝送機能の現在の状態を制御することは、
前記第一指示情報が前記データコピー伝送機能を有効にすると指示すると、前記端末装置が前記データコピー伝送機能をオンにするように制御すること、又は
前記第一指示情報が前記データコピー伝送機能を無効にすると指示すると、前記端末装置が前記データコピー伝送機能をオフにするように制御すること、を含む。
【００２５】
第一様態と合せて、第一様態の１つの可能な実現形態では、前記方法はさらに、
前記端末装置はネットワーク装置が送信したＭＡＣ制御要素（ＣＥ）を受信し、前記ＭＡＣ  ＣＥが前記第一指示情報を含むことを含む。
【００２６】
第一様態と合せて、第一様態の１つの可能な実現形態では、前記第一指示情報が具体的に、前記第二ＲＬＣ実体のデータコピー伝送機能を停止すると指示することに用いられる。
【００２７】
第一様態と合せて、第一様態の１つの可能な実現形態では、前記方法はさらに、
前記データコピー伝送機能がオン状態にあると、前記端末装置のパケットデータ収束プロトコル（ＰＤＣＰ）実体が伝送対象のＰＤＣＰパケットデータユニット（ＰＤＵ）を２つにコピーし、且つそれぞれ前記第一ＲＬＣ実体及び前記第二ＲＬＣ実体に送信すること、又は
前記データコピー伝送機能がオフ状態にあると、前記端末装置のＰＤＣＰ実体が伝送対象のＰＤＣＰ  ＰＤＵを前記第一ＲＬＣ実体に送信すること、又は
前記データコピー伝送機能がオフ状態にあると、前記端末装置のＰＤＣＰ実体が伝送対象の第一ＰＤＣＰ  ＰＤＵを前記第一ＲＬＣ実体に送信し、伝送対象の第二ＰＤＣＰ  ＰＤＵを前記第二ＲＬＣ実体に送信し、前記第一ＰＤＣＰ  ＰＤＵと前記第二ＰＤＣＰ  ＰＤＵとが異なること、を含む。
【００２８】
第二様態では、データ処理の装置を提供しており、上記第一様態又は第一様態の任意可能な実現方式における方法を実行することに用いられる。具体的に、該装置は上記第一様態又は第一様態の任意の可能な実現方式における方法を実行するためのユニットを含む。
【００２９】
第三様態では、データ処理の装置を提供しており、該装置はメモリ、プロセッサ、入力インタフェース及び出力インタフェースを含む。メモリ、プロセッサ、入力インタフェース及び出力インタフェースがバスシステムにより接続される。該メモリがコマンドを記憶することに用いられ、該プロセッサが該メモリに記憶されるコマンドを実行することに用いられ、上記第一様態又は第一様態の任意の可能な実現方式における方法を実行することに用いられる。
【００３０】
第四様態では、コンピュータ記憶媒体を提供しており、上記第一様態又は第一様態の任意の可能な実現方式における方法を実行するために用いられるコンピュータソフトウェアコマンドを記憶することに用いられ、それが上記様態に設計されるものを実行するためのプログラムを含む。
【００３１】
第五様態では、コマンドを含むコンピュータプログラム製品を提供しており、それがコンピュータにおいて実行される時、コンピュータに上記第一様態又は第一様態の任意の選択可能な実現方式における方法を実行させる。
【図面の簡単な説明】
【００３２】
【図１】図１は本願の実施例の１つの応用シーンの模式図を示す。
【図２】図２はキャリアアグリゲーションシーンにおけるコピーデータ伝送のプロトコルチャートを示す。
【図３】図３は本願の実施例のデータ処理の方法の例示的なフローチャートを示す。
【図４】図４は本願の実施例のデータ処理の装置の例示的なブロック図を示す。
【図５】図５は本願の他の実施例のデータ処理の装置の例示的なブロック図を示す。
【発明を実施するための形態】
【００３３】
以下では本願の実施例における図面を参照しながら、本願の実施例における技術案を説明する。
【００３４】
本文における用語「システム」と「ネットワーク」は常に交換可能に使用されると理解すべきである。本文における用語「及び／又は」は、関連オブジェクトの関連関係を説明するためのものに過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００３５】
さらに、本願の実施例の技術案が各種の通信システム、たとえば、移動体通信用グローバル（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ＬＴＥシステム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、ワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、新しい無線（Ｎｅｗ  Ｒａｄｉｏ、ＮＲ）又は将来の５Ｇシステム等に適用されてもよいことが理解されるべきである。
【００３６】
本願の実施例における端末装置はユーザー装置（Ｕｓｅｒ  Ｅｑｕｉｐｍｅｎｔ、ＵＥ）、アクセス端末、加入者ユニット、加入者ステーション、移動局、移動体、遠隔局、遠隔端末、移動体装置、ユーザー端末、端末、無線通信装置、ユーザエージェント又はユーザー装置を指してもよい。アクセス端末が携帯電話、コードレスホン、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルド層地、計算装置又は無線モデムに接続される他の処理装置、車載装置、ウェアラブル装置、将来の５Ｇネットワークにおける端末装置又は将来発展する地上波公共移動通信ネットワーク（Ｐｕｂｌｉｃ  Ｌａｎｄ  Ｍｏｂｉｌｅ  Ｎｅｔｗｏｒｋ、ＰＬＭＮ）における端末装置等であってもよく、本願の実施例は制限しない。
【００３７】
本願の実施例におけるネットワーク装置が端末装置と通信するための装置であってもよく、該ネットワーク装置がＧＳＭ又はＣＤＭＡにおける基地局（Ｂａｓｅ  Ｔｒａｎｓｃｅｉｖｅｒ  Ｓｔａｔｉｏｎ、ＢＴＳ）であってもよく、ＷＣＤＭＡシステムにおける基地局（ＮｏｄｅＢ、ＮＢ）であってもよく、ＬＴＥシステムにおける発展型基地局（Ｅｖｏｌｕｔｉｏｎａｌ  ＮｏｄｅＢ、ｅＮＢ又はｅＮｏｄｅＢ）であってもよく、クラウド無線アクセスネットワーク（Ｃｌｏｕｄ  Ｒａｄｉｏ  Ａｃｃｅｓｓ  Ｎｅｔｗｏｒｋ、ＣＲＡＮ）シーンにおける無線コントローラであってもよく、又は該ネットワーク装置が中継所、アクセスポイント、車載装置、ウェアラブル装置及び将来の５Ｇネットワークにおけるネットワーク装置又は将来発展するＰＬＭＮネットワークにおけるネットワーク装置等であってもよく、本願の実施例は制限しない。
【００３８】
図１は本願の実施例の１つの応用シーンの模式図である。図１における通信システムが端末装置１０及びネットワーク装置２０を含んでも良い。ネットワーク装置２０が端末装置１０に通信サービスを提供し且つコアネットワークにアクセスすることに用いられ、端末装置１０はネットワーク装置２０が送信した同期信号、ブロードキャスト信号等を検索することによりネットワークにアクセスし、それによりネットワークとの通信を行う。図１に示される矢印が端末装置１０とネットワーク装置２０との間のセルラーリンクにより行われる上り／下り伝送を示すことができる。
【００３９】
キャリアアグリゲーションシーンでは、ＰＤＣＰがデータコピー伝送機能をサポートすることができ、すなわちＰＤＣＰのデータコピー伝送機能を利用することにより、コピーしたデータを２つの又は複数の論理チャネルに対応させ、且つ最終的に、コピーした複数の同じＰＤＣＰ  ＰＤＵを異なる物理層アグリゲーションキャリアにおいて伝送できることを確保し、それにより周波数ダイバーシティゲインを達成し、それによりデータ伝送信頼性を向上させる。
【００４０】
理解を容易にするために、以下では図２を参照しながら、どのようにコピーデータを異なる物理的なキャリアにスケジューリングするかを簡単に説明する。図２に示されるように、ＰＤＣＰ層が分割コピーベアラ機能を有し、ＰＤＣＰ  ＳＤＵ１のデータをコピーしてＰＤＣＰ  ＰＤＵ１及びＰＤＣＰ  ＰＤＵ２にカプセル化し、ＰＤＣＰ  ＰＤＵ１とＰＤＣＰ  ＰＤＵ２が同じコンテンツを有し、すなわちベアラしたデータ（ｐａｙｌｏａｄ）及びパケットヘッダ（ｈｅａｄｅｒ）がいずれも同じである。それぞれＰＤＣＰ  ＰＤＵ１及びＰＤＣＰ  ＰＤＵ２を異なるＲＬＣ実体にマッピングし、ＲＬＣ実体がＰＤＣＰ  ＰＤＵ１及びＰＤＣＰ  ＰＤＵ２を異なる論理チャネル（論理チャネル１及び論理チャネル２）に入れ、ＭＡＣは、どの論理チャネルが同一ＰＤＣＰ  ＰＤＵのコピーデータを伝送するかを知った後、これらのコピーデータを異なるハイブリッド自動再送要求（Ｈｙｂｒｉｄ  Ａｕｔｏｍａｔｉｃ  Ｒｅｐｅａｔ  ｒｅＱｕｅｓｔ、ＨＡＲＱ）実体により異なるキャリアにおいて伝送し、たとえば、論理チャネル１にベアラされるコピーデータをＨＡＲＱ実体１により物理的なキャリア１において伝送し、論理チャネル２にベアラされるコピーデータをＨＡＲＱ実体２により物理的なキャリア２において伝送する。
【００４１】
ＲＬＣ実体がＰＤＣＰ層から受信したデータ、又はＰＤＣＰ層に送信したデータはＲＬＣ  ＳＤＵ又はＰＤＣＰ  ＰＤＵと呼ばれる。ＲＬＣ実体がＭＡＣ層から受信したデータ、又はＭＡＣ層に送信したデータはＲＬＣ  ＰＤＵ又はＭＡＣ  ＳＤＵと呼ばれる。
【００４２】
キャリアアグリゲーションシーンに対して、ネットワーク装置が端末装置のデータコピー伝送機能を有効又は無効にすることができ、すなわちＰＤＣＰ実体が異なるＲＬＣ実体により同じデータを伝送でき、さらに異なるＲＬＣ実体により異なるデータを伝送でき、ＲＬＣ実体はＰＤＣＰ層が伝送したＲＬＣ  ＳＤＵを受信した後、それをＲＬＣキャッシュメモリに記憶し、ネットワーク装置に伝送することを待つ。従って、ＲＬＣキャッシュメモリにおけるＲＬＣ  ＳＤＵに対する処理を実現できるデータ処理の方法を必要とする。
【００４３】
図３は本願の実施例のデータ処理の方法３００の例示的なブロック図を示す。図３に示されるように、該方法３００は以下を含む。
【００４４】
Ｓ３１０、端末装置が第一指示情報に基づき、データコピー伝送機能の現在の状態を制御し、前記第一指示情報が前記データコピー伝送機能を有効にするかどうかを指示することに用いられる。
【００４５】
本願の実施例では、前記第一指示情報が前記データコピー伝送機能を有効にするかどうかを指示することに用いられてもよく、さらにあるＲＬＣ実体のデータコピー伝送機能を無効にし又は停止することを指示することに用いられてもよく、前記第一指示情報が前記データコピー伝送機能を無効にすると指示することに用いられる場合では、前記端末装置が異なるＲＬＣ実体により異なるデータを伝送でき、又は、前記第一指示情報があるＲＬＣ実体のデータコピー伝送機能を停止すると指示することに用いられる場合、前記端末装置が停止されていない他のデータコピー伝送機能のＲＬＣ実体によりデータを伝送できる。
【００４６】
例として、これに限定するもので無いものとして、前記端末装置が第一ＲＬＣ実体及び第二ＲＣＬ実体を含んでもよく、各ＲＬＣ実体が相応のＲＬＣキャッシュメモリに対応し、データコピー伝送機能がオンになった場合では、前記端末装置が伝送対象のＰＤＣＰ  ＰＤＵを２つにコピーすることができ、且つそれぞれ前記第一ＲＬＣ実体及び前記第二ＲＬＣ実体に送信し、前記第一ＲＬＣ実体及び前記第二ＲＬＣ実体により同じＰＤＣＰ  ＰＤＵを伝送する。
【００４７】
データコピー伝送機能がオフになった場合、前記端末装置が前記第一ＲＬＣ実体及び前記第二ＲＬＣ実体により異なるＰＤＣＰ  ＰＤＵを伝送でき、又は前記第二ＲＬＣ実体のデータコピー機能が停止されると、前記端末装置が第一ＲＬＣ実体のみによりＰＤＣＰ  ＰＤＵを伝送でき、第二ＲＬＣ実体がデータの伝送を行わない。
【００４８】
選択肢として、１つ具体的な実施形態では、Ｓ３１０は、
前記第一指示情報が前記データコピー伝送機能を有効にすると指示すると、前記端末装置が前記データコピー伝送機能をオンにするように制御すること、又は
前記第一指示情報が前記データコピー伝送機能を無効にすると指示すると、前記端末装置が前記データコピー伝送機能をオフにように制御すること、を含んでもよい。
【００４９】
前記端末装置はデータコピー伝送機能をオンにした時、異なるＲＬＣ実体を用いて同じデータを伝送し、前記データコピー伝送機能をオフにした時、異なるＲＬＣ実体により異なるデータを伝送し、又は１つのＲＬＣ実体によりデータを伝送することができる。
【００５０】
選択肢として、前記方法３００はさらに以下を含む。
【００５１】
前記端末装置はネットワーク装置が送信したＭＡＣ制御要素（ＣＥ）を受信し、前記ＭＡＣ  ＣＥが前記第一指示情報を含む。
【００５２】
即ち、前記ネットワーク装置はＭＡＣ  ＣＥ等の動的シグナリングにより端末装置がデータコピー伝送機能を有効又は無効にするように制御でき、又は前記ネットワーク装置はさらに他のシグナリングにより前記端末装置がデータコピー伝送機能を有効又は無効にするように制御でき、本願の実施例が前記第一指示情報の通知方式に対応して、特に制限しない。
【００５３】
Ｓ３２０、前記端末装置が前記データコピー伝送機能の現在の状態に基づき、第一無線リンク制御（ＲＬＣ）キャッシュメモリ及び第二ＲＬＣキャッシュメモリにおける各ＲＬＣサービスデータユニット（ＳＤＵ）を処理し、前記第一ＲＬＣキャッシュメモリが第一ＲＬＣ実体に対応し、前記第二ＲＬＣキャッシュメモリが第二ＲＬＣ実体に対応する。
【００５４】
具体的には、前記端末装置はデータコピー伝送機能が現在オン状態にあるか、又はオフ状態にあるかに基づいて、ＲＬＣキャッシュメモリにおけるＲＬＣ  ＳＤＵを廃棄するか、又は前記ＲＬＣ  ＳＤＵがＲＬＣキャッシュメモリを使用し続けるように保持し、すなわち前記ＲＬＣキャッシュメモリにおけるＲＬＣ  ＳＤＵを廃棄しないかを決定する。
【００５５】
たとえば、前記端末装置が第一ＲＬＣ実体及び第二ＲＬＣ実体によりコピーデータの伝送を行い、換言すると、前記第一ＲＬＣ実体及び前記第二ＲＬＣ実体が伝送したのは同じデータであると、データコピー伝送機能がオフになった時、前記端末装置が１つのＲＬＣ実体に対応するＲＬＣキャッシュメモリにおけるＲＬＣ  ＳＤＵを廃棄できる。たとえば、第一ＲＬＣ実体に対応する物理的なキャリア１のチャネル条件が前記第二ＲＬＣ実体に対応する物理的なキャリア２のチャネル条件より優れると、前記端末装置が前記第一ＲＬＣ実体に対応する第一ＲＬＣキャッシュメモリにおけるＲＬＣ  ＳＤＵを物理的なキャリア１によりネットワーク装置により速く伝送でき、即ち、前記第一ＲＬＣキャッシュメモリにおけるＲＬＣ  ＳＤＵが第一ＲＬＣキャッシュメモリを占用する時間が比較的少ないと考えることができ、従って、前記端末装置が第二ＲＬＣキャッシュメモリにおけるＲＬＣ  ＳＤＵを廃棄でき、すなわち一部のコピーデータを廃棄し、それにより、物理的なキャリア２のチャネル条件が比較的悪いため、第二ＲＬＣキャッシュメモリにおけるＲＬＣ  ＳＤＵをネットワーク装置にタイムリー伝送できないことによる前記第二ＲＬＣキャッシュメモリを長時間占用するという問題を避けることに有利である。
【００５６】
即ち、データコピー伝送機能がオフになった時、第一ＲＬＣ実体及び第二ＲＬＣ実体がコピーデータを伝送することに用いられると、１つのＲＬＣ実体に対応するＲＬＣキャッシュメモリにおけるコピーデータを廃棄でき、又は、データコピー伝送機能がオフになった時、１つのＲＬＣ実体のデータコピー伝送機能が停止されると、該ＲＬＣ実体に対応するＲＬＣキャッシュメモリにおけるコピーデータを廃棄する。
【００５７】
選択肢として、ある実施例では、Ｓ３２０は、
前記端末装置が前記データコピー伝送機能の現在の状態に基づき、第一ＲＬＣキャッシュメモリ及び第二ＲＬＣキャッシュメモリにおける各ＲＬＣ  ＳＤＵに対応するタイマーの状態を制御し、前記各ＲＬＣ  ＳＤＵに対応するタイマーは前記各ＲＬＣ  ＳＤＵがＲＬＣキャッシュメモリを占用する時間を制御することに用いられることと、
前記端末装置が前記各ＲＬＣ  ＳＤＵに対応するタイマーの状態に基づき、前記各ＲＬＣ  ＳＤＵを処理することと、を含んでもよい。
【００５８】
本願の実施例では、前記端末装置が各ＲＬＣ  ＳＤＵに１つのタイマーを割り当てることができ、前記各ＲＬＣ  ＳＤＵに対応するタイマーは前記各ＲＬＣ  ＳＤＵがＲＬＣキャッシュメモリを占用する時間を制御することに用いられ、又は、前記各ＲＬＣ  ＳＤＵがＲＬＣキャッシュメモリを占用する最大時間長さはタイマーの時間長さであり、前記端末装置が各ＲＬＣ  ＳＤＵに１つのタイマーを割り当て、それにより該タイマーにより対応するＲＬＣ  ＳＤＵがＲＬＣキャッシュメモリを占用する時間を制御でき、ＲＬＣ  ＳＤＵがＲＬＣキャッシュメモリを長時間占用するため、ＲＬＣキャッシュメモリが漏れるという問題を避けることに有利であり、さらにＲＬＣキャッシュメモリの利用率を高めることに有利である。
【００５９】
選択肢として、各ＲＬＣ  ＳＤＵに対応するタイマーの時間長さが同じであってもよく、異なってもよく、本願の実施例はこれを制限しない。
【００６０】
具体的には、前記端末装置がデータコピー伝送機能の状態に基づき、各ＲＬＣ  ＳＤＵに対応するタイマーをオンにするか又はオフにするかを決定でき、各ＲＬＣ  ＳＤＵに対応するタイマーの状態に基づき、各ＲＬＣ  ＳＤＵを処理する。たとえば、タイマーがタイムアウトしていない時、ＲＬＣ  ＳＤＵ１は既にＲＬＣ  ヘッダ（ｈｅａｄｅｒ）を加えて、ＲＬＣ  ＰＤＵ１を生成した場合、前記端末装置がＲＬＣキャッシュメモリにおけるＲＬＣ  ＳＤＵ１を廃棄してもよく（この場合がＵＭモードに対応でき、すなわちネットワーク装置がフィードバックする必要がない）、又は該ＲＬＣ  ＳＤＵ１を一時的に廃棄せず、ネットワーク装置のフィードバック情報を受信した後に該ＲＬＣ  ＳＤＵ１を廃棄してもよく（この場合がＡＭモードに対応でき、すなわちネットワーク装置がフィードバックする必要がある）、該フィードバック情報は該ネットワーク装置が既に該ＲＬＣ  ＰＤＵ１を受信したと指示することに用いられ、従って該ＲＬＣ  ＰＤＵ１の生データ、すなわちＲＬＣ  ＳＤＵ１を廃棄できる。
【００６１】
さらにたとえば、タイマーがタイムアウトした場合、前記ＲＬＣ  ＳＤＵ１がＲＬＣ  ＰＤＵ１を生成しておらず、すなわち該ＲＬＣ  ＳＤＵ１をネットワーク装置に伝送していないと（ＲＬＣ実体に対応する物理的なキャリアのチャネル条件が比較悪いことに起因する可能性がある）、ＲＬＣ  ＳＤＵ１がＲＬＣキャッシュメモリを長時間占用するため、ＲＬＣ  キャッシュメモリが漏れるという問題を避けるため、該ＲＬＣ  ＳＤＵ１を廃棄できる。
【００６２】
選択肢として、１つの実施例として、前記端末装置が前記データコピー伝送機能の現在の状態に基づき、第一ＲＬＣキャッシュメモリ及び第二ＲＬＣキャッシュメモリにおける各ＲＬＣ  ＳＤＵに対応するタイマーの状態を制御することは、
前記データコピー伝送機能がオン状態にあると、前記第一ＲＬＣキャッシュメモリ及び前記第二ＲＬＣキャッシュメモリにおける各ＲＬＣ  ＳＤＵに対応するタイマーをオンにすること、又は
前記データコピー伝送機能がオフ状態にあると、前記第一ＲＬＣキャッシュメモリ及び前記第二ＲＬＣキャッシュメモリにおける各ＲＬＣ  ＳＤＵに対応するタイマーを停止し、又は前記第二ＲＬＣキャッシュメモリにおける各ＲＬＣ  ＳＤＵに対応するタイマーを停止し、前記第一ＲＬＣキャッシュメモリにおける各ＲＬＣ  ＳＤＵに対応するタイマーをオンにし続けること、を含む。
【００６３】
即ち、データコピー伝送機能がオン状態にある時、前記端末装置が各ＲＬＣキャッシュメモリにおける各ＲＬＣ  ＳＤＵに対応するタイマーをオンにすること、又は、コピーデータをどのＲＬＣ実体により伝送するか、どのＲＬＣ実体に対応するＲＬＣキャッシュメモリにおけるＲＬＣ  ＳＤＵに対応するタイマーをオンにするかを制御でき、各ＲＬＣ  ＳＤＵに対応するタイマーにより前記各ＲＬＣ  ＳＤＵがＲＬＣキャッシュメモリを占用する時間を制御し、それにより、ＲＬＣ  ＳＤＵがＲＬＣキャッシュメモリを長時間占用するため、キャッシュメモリが漏れるという問題を避けることに有利である。
【００６４】
データコピー伝送機能がオフ状態にある時、この場合では、異なるＲＬＣ実体が伝送したのは異なるデータであり、コピーデータ伝送の方式を用いることに比べて、データ伝送の信頼性が低下し、従って、前記端末装置が第一ＲＬＣキャッシュメモリ及び前記第二ＲＬＣキャッシュメモリにおける各ＲＬＣ  ＳＤＵに対応するタイマーをオフにするように制御でき、すなわち各ＲＬＣキャッシュメモリにおけるＲＬＣ  ＳＤＵのキャッシュメモリに対する占用時間を制御せず、換言すれば、ＲＬＣ  ＳＤＵがネットワーク装置に成功的に伝送される前、前記ＲＬＣ  ＳＤＵがＲＬＣキャッシュメモリを終始に占用する。データコピー伝送機能がオフ状態にある時、データコピー伝送機能によりデータ伝送の信頼性を確保できず、従って、キャッシュメモリの占用時間を犠牲にすることによりデータ伝送の信頼性を向上させることができる。
【００６５】
従って、本願の実施例のデータ処理の方法は、データコピー伝送機能がオンになった時、データコピー伝送機能によりデータ伝送の信頼性を向上させることができるため、前記端末装置はＲＬＣ  ＳＤＵがキャッシュメモリを占用する時間を制御でき、それによりＲＬＣキャッシュメモリの利用率を高め、データコピー伝送機能がオフになった時、データコピー伝送機能によりデータ伝送の信頼性を確保できないため、この場合では、キャッシュメモリの占用時間を犠牲にすることによりデータ伝送の信頼性を向上させることができる。即ち、本願の実施例のデータ処理の方法は、データ伝送信頼性及びキャッシュメモリ利用率の統合性能を向上させることができる。
【００６６】
選択肢として、第二ＲＬＣ実体のデータコピー機能が停止状態にあり、すなわち前記第二ＲＬＣ実体がデータ伝送に用いられないと、この場合では、前記端末装置が第二ＲＬＣキャッシュメモリにおける各ＲＬＣ  ＳＤＵに対応するタイマーのみをオフにして、第一ＲＬＣキャッシュメモリにおける各ＲＬＣ  ＳＤＵに対応するタイマーをオンにし続けることができる。
【００６７】
選択肢として、１つの可能な実現方式では、前記第一ＲＬＣキャッシュメモリが第一ＲＬＣ  ＳＤＵを含み、前記第一ＲＬＣ  ＳＤＵが第一タイマーに対応し、前記端末装置が前記各ＲＬＣ  ＳＤＵに対応するタイマーの状態に基づき、前記各ＲＬＣ  ＳＤＵを処理することは、
前記第一タイマーがタイムアウトする前、前記第一ＲＬＣ  ＳＤＵが既に第一ＲＬＣ  ＰＤＵを生成した場合、前記端末装置が前記第一ＲＬＣ  ＰＤＵを媒体アクセス制御（ＭＡＣ）実体に伝送すること、又は
前記第一タイマーがタイムアウトした場合、前記第一ＲＬＣ  ＳＤＵが前記第一ＲＬＣ  ＰＤＵを生成していないと、前記端末装置が前記第一ＲＬＣ  ＳＤＵを廃棄すること、含む。
【００６８】
具体的には、前記第一ＲＬＣ  ＰＤＵは前記第一ＲＬＣ  ＳＤＵがＲＬＣ  ｈｅａｄｅｒを加えることにより生成されるものであり、前記第一ＲＬＣ  ＳＤＵが前記第一ＲＬＣ  ＰＤＵを生成した後、前記第一ＲＬＣ実体が前記第一ＲＬＣ  ＰＤＵをＭＡＣ実体に送信でき、さらに、前記第一ＲＬＣ実体に対応する物理的なキャリアでネットワーク装置に伝送できる。
【００６９】
即ち、前記第一ＲＬＣ  ＳＤＵが前記第一ＲＬＣ  ＰＤＵを生成し、前記第一ＲＬＣ  ＳＤＵをネットワーク装置に伝送できると考えられてもよく、すなわち前記第一ＲＬＣ  ＳＤＵが前記第一ＲＬＣキャッシュメモリ占用を必要としなくてもよく、従って、前記第一ＲＬＣ  ＳＤＵに対応する第一タイマーを停止できる。それと同時に、前記端末装置が前記第一ＲＬＣ  ＳＤＵを直接廃棄でき、又はネットワーク装置が送信したフィードバック情報を受信した後に前記第一ＲＬＣ  ＳＤＵを廃棄でき、前記フィードバック情報は前記ネットワーク装置が前記第一ＲＬＣ  ＰＤＵを既に成功的に受信し、すなわち前記第一ＲＬＣ  ＳＤＵをネットワーク装置に成功的に伝送したと指示することに用いられ、従って、前記第一ＲＬＣ  ＳＤＵを廃棄でき、前記第一ＲＬＣ  ＳＤＵがＲＬＣキャッシュメモリを占用し続けることを避ける。
【００７０】
前記端末装置は前記第一ＲＬＣ  ＳＤＵが第一ＲＬＣ  ＰＤＵを生成した場合では前記第一タイマーを停止でき、又は、ネットワーク装置が送信したフィードバック情報を受信した後に前記第一タイマーを停止でき、データ伝送信頼性及びＲＬＣキャッシュメモリ利用率を確保する条件において前記第一タイマーの停止条件を調整でき、本願の実施例はこれを特に制限しないことが理解されるべきである。
【００７１】
又は、前記第一タイマーがタイムアウトした場合、前記第一ＲＬＣ  ＳＤＵが前記第一ＲＬＣ  ＰＤＵを生成していないと、前記第一ＲＬＣ  ＳＤＵを前記ネットワーク装置に伝送できないと考えられてもよく、この場合では、前記第一ＲＬＣ  ＳＤＵがキャッシュメモリを占用する時間は前記第一タイマーの時間長さに達しており、前記第一ＲＬＣ  ＳＤＵがＲＬＣキャッシュメモリを長時間占有するため、キャッシュメモリが漏れるという問題を避けるために、前記端末装置が前記第一ＲＬＣ  ＳＤＵを廃棄でき、それにより、他のＲＬＣ  ＳＤＵが前記第一ＲＬＣ  キャッシュメモリを使用でき、ＲＬＣキャッシュメモリ利用率を高める。
【００７２】
従って、本願の実施例のデータ処理の方法は、端末装置がＲＬＣキャッシュメモリにおける各ＲＬＣ  ＳＤＵのために１つのタイマーをオンにして、前記各ＲＬＣ  ＳＤＵに対応するタイマーにより前記各ＲＬＣ  ＳＤＵがＲＬＣキャッシュメモリを占用する時間を制御し、タイマーがタイムアウトした場合では、対応するＲＬＣ  ＳＤＵがＲＬＣ  ＰＤＵを生成していないと、該ＲＬＣ  ＳＤＵを廃棄し、又はタイマーがタイムアウトする前、前記ＲＬＣ  ＳＤＵが既にＲＬＣ  ＰＤＵを生成した場合、該タイマーを停止し、ＲＬＣ  ＰＤＵをＭＡＣ実体に送信し、さらに、物理的なキャリアによりＲＬＣ  ＰＤＵをネットワーク装置に伝送できる。
【００７３】
選択肢として、ある実施例では、Ｓ３２０は以下を含んでもよい。
【００７４】
前記第二ＲＬＣ実体のデータコピー伝送機能がオフ状態にある場合では、前記第二ＲＬＣキャッシュメモリにおける各ＲＬＣ  ＳＤＵを廃棄する。
【００７５】
前記第二ＲＬＣキャッシュメモリはデータコピー伝送機能が停止された第二ＲＬＣ実体に対応するＲＬＣキャッシュメモリであり、選択肢として、前記端末装置は前記第二ＲＬＣ実体に対応する物理的なキャリアのチャネル条件が比較的悪い場合では、前記第二ＲＬＣ実体のデータコピー伝送機能を停止でき、すなわち第二ＲＬＣ実体を用いてデータを伝送することを停止する。前記第二ＲＬＣ実体のデータコピー伝送機能が端末装置によってオフされた時、前記端末装置が前記第二ＲＬＣキャッシュメモリにおける各ＲＬＣ  ＳＤＵを廃棄でき、それによりこの部分のＲＬＣ  ＳＤＵの第二ＲＬＣ  キャッシュメモリに対する占用を避けることに有利である。
【００７６】
選択肢として、ある実施例では、前記第二ＲＬＣキャッシュメモリが第二ＲＬＣ  ＳＤＵを含み、前記第二ＲＬＣ  ＳＤＵが第二タイマーに対応し、前記Ｓ３２０は以下を含んでもよい。
【００７７】
前記第二ＲＬＣ実体のデータコピー伝送機能がオフ状態にある前、前記第二ＲＬＣ  ＳＤＵが既に第二ＲＬＣ  ＰＤＵを生成した場合、前記端末装置がネットワーク装置に前記第二ＲＬＣ  ＰＤＵを伝送し又は前記第二ＲＬＣ  ＰＤＵを廃棄する。
【００７８】
第二ＲＬＣ実体のデータコピー伝送機能がオフになる前、第二ＲＬＣキャッシュメモリにおける第二ＲＬＣ  ＳＤＵが既に第二ＲＬＣ  ＰＤＵを生成した場合、前記端末装置がネットワーク装置に前記第二ＲＬＣ  ＰＤＵを送信することを選択でき、又は、前記第二ＲＬＣ  ＰＤＵを廃棄することを選択できる。
【００７９】
１つの具体的な実現方式では、前記端末装置がネットワーク装置に前記第二ＲＬＣ  ＰＤＵを伝送し又は前記第二ＲＬＣ  ＰＤＵを廃棄することは、
前記ネットワーク装置が既に前記第一ＲＬＣキャッシュメモリにおける前記第二ＲＬＣ  ＳＤＵのコピーデータを成功的に受信した場合、前記端末装置が前記第二ＲＬＣ  ＰＤＵを廃棄すること、又は
前記ネットワーク装置が、前記第一ＲＬＣキャッシュメモリにおける前記第二ＲＬＣ  ＳＤＵのコピーデータを成功的に受信できていない場合、前記端末装置が前記ネットワーク装置に前記第二ＲＬＣ  ＰＤＵを伝送すること、を含む。
【００８０】
具体的に、第二ＲＬＣ実体のデータコピー伝送機能が停止される前、前記端末装置が第一ＲＬＣ実体及び前記第二ＲＬＣ実体によりコピーデータを伝送すると、前記第一ＲＬＣ実体及び前記第二ＲＬＣ実体が伝送するのは同じデータである。この場合では、第二ＲＬＣ実体のデータコピー伝送機能が停止される前、第二ＲＬＣキャッシュメモリにおける第二ＲＬＣ  ＳＤＵが既に第二ＲＬＣ  ＰＤＵを生成した場合、前記端末装置が前記第二ＲＬＣ  ＳＤＵのコピーデータの伝送状況、すなわち第一ＲＬＣキャッシュメモリにおける前記第二ＲＬＣ  ＳＤＵのコピーデータの伝送が成功するかどうかに基づき、ネットワーク装置に前記第二ＲＬＣ  ＰＤＵを伝送するかどうかを決定できる。たとえば、前記端末装置は前記ネットワーク装置が既に前記第一ＲＬＣキャッシュメモリにおける前記第二ＲＬＣ  ＳＤＵのコピーデータを成功的に受信し、すなわち前記第二ＲＬＣ  ＳＤＵのコピーデータ伝送が成功した場合では、前記第二ＲＬＣ  ＰＤＵを廃棄でき、それにより前記第二ＲＬＣ  ＰＤＵの繰り返し伝送による資源の浪費を避けることができ、又は、前記ネットワーク装置が前記第一ＲＬＣキャッシュメモリにおける前記第二ＲＬＣ  ＳＤＵのコピーデータを成功的に受信しておらず、すなわち前記第二ＲＬＣ  ＳＤＵのコピーデータ伝送が失敗した場合では、前記ネットワーク装置に前記第二ＲＬＣ  ＰＤＵを伝送し、それによりデータ伝送の信頼性を確保できる。
【００８１】
なお、本願の実施例は前記端末装置が第一ＲＬＣ実体及び第二ＲＬＣ実体を含むことのみを例として説明し、本願の実施例に対するいかなる限定ではなく、前記端末装置がさらにより多いＲＬＣ実体、たとえば、第三ＲＬＣ実体又は第四ＲＬＣ実体等を含んでもよく、より多いＲＬＣ実体を含む時、以上と同様に、本願の実施例が提供したデータ処理の方法を用いて各ＲＬＣ実体におけるＲＬＣ  ＳＤＵを処理でき、ここで説明を省略する。
【００８２】
以上では本願の実施例によるデータ処理の方法を詳細に説明し、以下では図４〜図５を参照しながら、本願の実施例によるデータ処理の装置を説明し、方法の実施例に説明される技術的特徴は以下の装置実施例に適用される。
【００８３】
図４は本願の実施例のデータ処理の装置４００の例示的なブロック図を示す。図４に示されるように、該装置４００は、
前記データコピー伝送機能を有効にするかどうかを指示するための第一指示情報に基づき、データコピー伝送機能の現在の状態を制御することに用いられる制御モジュール４１０と、
前記データコピー伝送機能の現在の状態に基づき、第一無線リンク制御（ＲＬＣ）キャッシュメモリ及び第二ＲＬＣキャッシュメモリにおける各ＲＬＣサービスデータユニット（ＳＤＵ）を処理し、前記第一ＲＬＣキャッシュメモリが第一ＲＬＣ実体に対応し、前記第二ＲＬＣキャッシュメモリが第二ＲＬＣ実体に対応することに用いられる処理モジュール４２０と、を含む。
【００８４】
選択肢として、いくつかの実施例では、前記処理モジュール４２０は、
前記データコピー伝送機能の現在の状態に基づき、第一ＲＬＣキャッシュメモリ及び第二ＲＬＣキャッシュメモリにおける各ＲＬＣ  ＳＤＵに対応するタイマーの状態を制御し、前記各ＲＬＣ  ＳＤＵに対応するタイマーは前記各ＲＬＣ  ＳＤＵがＲＬＣキャッシュメモリを占用する時間を制御することに用いられることと、
前記各ＲＬＣ  ＳＤＵに対応するタイマーの状態に基づき、前記各ＲＬＣ  ＳＤＵを処理することと、に用いられる。
【００８５】
選択肢として、いくつかの実施例では、前記各ＲＬＣ  ＳＤＵに対応するタイマーの時間長さが同一である。
【００８６】
選択肢として、いくつかの実施例では、少なくとも２つのＲＬＣ  ＳＤＵに対応するタイマーの時間長さが異なる。
【００８７】
選択肢として、いくつかの実施例では、前記処理モジュール４２０はさらに、
前記データコピー伝送機能がオン状態にあると、前記第一ＲＬＣキャッシュメモリ及び前記第二ＲＬＣキャッシュメモリにおける各ＲＬＣ  ＳＤＵに対応するタイマーをオンにすること、又は
前記データコピー伝送機能がオフ状態にあると、前記第一ＲＬＣキャッシュメモリ及び前記第二ＲＬＣキャッシュメモリにおける各ＲＬＣ  ＳＤＵに対応するタイマーを停止し、又は前記第二ＲＬＣキャッシュメモリにおける各ＲＬＣ  ＳＤＵに対応するタイマーを停止し、前記第一ＲＬＣキャッシュメモリにおける各ＲＬＣ  ＳＤＵに対応するタイマーをオンにし続けること、に用いられる。
【００８８】
選択肢として、いくつかの実施例では、前記第一ＲＬＣキャッシュメモリが第一ＲＬＣ  ＳＤＵを含み、前記第一ＲＬＣ  ＳＤＵが第一タイマーに対応し、前記処理モジュール４２０はさらに、
前記第一タイマーがタイムアウトする前、前記第一ＲＬＣ  ＳＤＵが既に第一ＲＬＣ  ＰＤＵを生成した場合、前記第一ＲＬＣ  ＰＤＵを媒体アクセス制御（ＭＡＣ）実体に伝送すること、又は
前記第一タイマーがタイムアウトした場合、前記第一ＲＬＣ  ＳＤＵが前記第一ＲＬＣ  ＰＤＵを生成していないと、前記第一ＲＬＣ  ＳＤＵを廃棄すること、に用いられる。
【００８９】
選択肢として、いくつかの実施例では、前記処理モジュール４２０はさらに、
前記第一タイマーがタイムアウトした場合、前記第一ＲＬＣ  ＳＤＵが前記第一ＲＬＣ  ＰＤＵを生成していないと、前記第一タイマーをリセットすること、又は
前記第一タイマーがタイムアウトする前、前記第一ＲＬＣ  ＳＤＵが既に前記第一ＲＬＣ  ＰＤＵを生成した場合、前記第一タイマーを停止すること、に用いられる。
【００９０】
選択肢として、いくつかの実施例では、前記処理モジュール４２０はさらに、
前記第二ＲＬＣ実体のデータコピー伝送機能がオフ状態にある場合では、前記第二ＲＬＣキャッシュメモリにおける各ＲＬＣ  ＳＤＵを廃棄することに用いられる。
【００９１】
選択肢として、いくつかの実施例では、前記第二ＲＬＣキャッシュメモリが第二ＲＬＣ  ＳＤＵを含み、前記第二ＲＬＣ  ＳＤＵが第二タイマーに対応し、前記処理モジュール４２０はさらに、
前記第二ＲＬＣ実体のデータコピー伝送機能がオフ状態にある前、前記第二ＲＬＣ  ＳＤＵが既に第二ＲＬＣ  ＰＤＵを生成した場合、ネットワーク装置に前記第二ＲＬＣ  ＰＤＵを伝送し又は前記第二ＲＬＣ  ＰＤＵを廃棄することに用いられる。
【００９２】
選択肢として、いくつかの実施例では、前記処理モジュール４２０は具体的に、
前記ネットワーク装置が既に前記第一ＲＬＣキャッシュメモリにおける前記第二ＲＬＣ  ＳＤＵのコピーデータを成功的に受信した場合、前記第二ＲＬＣ  ＰＤＵを廃棄すること、又は
前記ネットワーク装置が、前記第一ＲＬＣキャッシュメモリにおける前記第二ＲＬＣ  ＳＤＵのコピーデータを成功的に受信できていない場合、前記ネットワーク装置に前記第二ＲＬＣ  ＰＤＵを伝送すること、に用いられる。
【００９３】
選択肢として、いくつかの実施例では、前記制御モジュール４１０は具体的に、
前記第一指示情報が前記データコピー伝送機能を有効にすると指示すると、前記データコピー伝送機能をオンにするように制御すること、又は
前記第一指示情報が前記データコピー伝送機能を無効にすると指示すると、前記データコピー伝送機能をオフにように制御すること、に用いられる。
【００９４】
選択肢として、いくつかの実施例では、前記装置４００はさらに、
ネットワーク装置が送信したＭＡＣ制御要素（ＣＥ）を受信することに用いられ、前記ＭＡＣ  ＣＥが前記第一指示情報を含む通信モジュールを含む。
【００９５】
選択肢として、いくつかの実施例では、前記第一指示情報が具体的に、前記第二ＲＬＣ実体のデータコピー伝送機能を停止すると指示することに用いられる。
【００９６】
選択肢として、いくつかの実施例では、前記装置４００はさらに、
前記データコピー伝送機能がオン状態にある場合では、伝送対象のＰＤＣＰパケットデータユニット（ＰＤＵ）を２つにコピーし、且つそれぞれ前記第一ＲＬＣ実体及び前記第二ＲＬＣ実体に送信し、又は
前記データコピー伝送機能がオフ状態にある場合では、伝送対象のＰＤＣＰ  ＰＤＵを前記第一ＲＬＣ実体に送信し、又は
前記データコピー伝送機能がオフ状態にある場合では、伝送対象の第一ＰＤＣＰ  ＰＤＵを前記第一ＲＬＣ実体に送信し、伝送対象の第二ＰＤＣＰ  ＰＤＵを前記第二ＲＬＣ実体に送信し、前記第一ＰＤＣＰ  ＰＤＵと前記第二ＰＤＣＰ  ＰＤＵとが異なることに用いられる送信モジュールを含む。
【００９７】
本願の実施例による装置４００が本願の方法の実施例における端末装置に対応でき、且つ装置４００における各ユニットの上記のもの及び他の操作及び／又は機能はそれぞれ図３方法における端末装置の対応するプロセスを実現するためのものであり、簡潔にするために、ここで説明を省略することが理解されるべきである。
【００９８】
図５に示されるように、本願の実施例はさらにデータ処理の装置５００を提供しており、該装置５００が図４における装置４００であってもよく、それが図３における方法３００に対応する端末装置のコンテンツを実行することに用いられてもよい。該装置５００は、入力インタフェース５１０、出力インタフェース５２０、プロセッサ５３０及びメモリ５４０を含み、該入力インタフェース５１０、出力インタフェース５２０、プロセッサ５３０及びメモリ５４０がバスシステムにより接続できる。該メモリ５４０がプログラム、コマンド又はコードを記憶することに用いられる。該プロセッサ５３０が、該メモリ５４０におけるプログラム、コマンド又はコードを実行することに用いられ、それにより入力インタフェース５１０が信号を受信するように制御し、出力インタフェース５２０が信号を送信し及び上記方法の実施例における操作を完了するように制御する。
【００９９】
本願の実施例では、該プロセッサ５３０が中央処理装置（Ｃｅｎｔｒａｌ  Ｐｒｏｃｅｓｓｉｎｇ  Ｕｎｉｔ、ＣＰＵ）であってもよく、該プロセッサ５３０がさらに他の汎用プロセッサ、デジタル信号プロセッサ、特定用途向け集積回路フィールドプログラマブルゲートアレイ又は他のプログラマブルロジックデバイス、個別ゲート又はトランジスタロジックデバイス、個別ハードウェアコンポーネント等あってもよいことが理解されるべきである。汎用プロセッサはマイクロプロセッサであってもよく、又は該プロセッサは更にいかなる通常のプロセッサ等であってもよい。
【０１００】
該メモリ５４０が読み出し専用メモリ及びランダムアクセスメモリを含んでもよく、且つプロセッサ５３０にコマンド及びデータを提供する。メモリ５４０の一部はさらに不揮発性ランダムアクセスメモリを含んでもよい。たとえば、メモリ５４０にさらに装置タイプ情報が記憶されてもよい。
【０１０１】
実現過程では、上記方法の各ステップはプロセッサ５３０におけるハードウェアの集積論理回路又はソフトウェア形式のコマンドで完了してもよい。本発明の実施例に開示される方法のステップはハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ５４０に位置し、プロセッサ５３０がメモリ５４０における情報を読み取り、そのハードウェアと組み合わせて上記方法のステップを完了する。重複を避けるため、詳細な説明は省略する。
【０１０２】
１つの具体的な実施形態では、装置４００における制御モジュール４１０、処理モジュール４２０が図５におけるプロセッサ５３０で実現されてもよく、装置４００の通信モジュール及び送信モジュールが図５における入力インタフェース５１０及び出力インタフェース５２０で実現されてもよい。
【０１０３】
実現過程では、上記方法の各ステップはプロセッサ５３０におけるハードウェアの集積論理回路又はソフトウェア形式のコマンドで完了してもよい。本発明の実施例に開示される方法のステップはハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ５４０に位置し、プロセッサ５３０がメモリ５４０における情報を読み取り、そのハードウェアと組み合わせて上記方法のステップを完了する。重複を避けるため、詳細な説明は省略する。
【０１０４】
本願の実施例はさらにコンピュータ可読記憶媒体を提供しており、該コンピュータ可読記憶媒体に１つ又は複数のプログラムが記憶され、該１つ又は複数のプログラムがコマンドを含み、該コマンドが複数のアプリケーションプログラムを含む携帯型電子機器で実行される時、該携帯型電子機器に図３に示される実施例の方法を実行させることができる。
【０１０５】
本願の実施例はさらにコンピュータプログラムを提供しており、該コンピュータプログラムがコマンドを含み、該コンピュータプログラムがコンピュータで実行される時、コンピュータが図３に示される実施例の方法の対応するプロセスを実行できる。
【０１０６】
本文における用語「及び／又は」は、関連オブジェクトの関連関係を説明するためのものに過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本文における文字「／」は一般的に前後関連オブジェクトが「又は」関係であることを示すことが理解されるべきである。
【０１０７】
本願の各種の実施例では、上記各過程の番号の順位は実行順序の前後を意味せず、各過程の実行順序はその機能及び内部論理によって決定されるべきであり、本発明の実施例の実施過程を制限するためのものではないことが理解されるべきである。
【０１０８】
当業者であれば、本明細書に開示される実施例を参照して説明した各例示的なユニット及びアルゴリズムステップは、電子ハードウェア、コンピュータソフトウェア又はそれらの組み合わせで実現されてもよい。これらの機能をハードウェアそれともソフトウェア方式で実行するかは、技術案の特定応用及び設計制約条件によって決定される。当業者は各特定応用に対して異なる方法で説明される機能を実現することができるが、このような実現は本発明の実施例の範囲を超えると見なされるべきではない。
【０１０９】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１１０】
本願に係るいくつかの実施例において、開示されるシステム、装置及び方法は他の方式で実現されてもよいと理解すべきである。例えば、以上に説明される装置実施例は模式的なものに過ぎず、例えば、前記ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１１１】
分離部材として説明されるユニットは物理的に分離してもよいし、物理的に分離しなくてもよく、ユニットとして表示される部材は物理ユニットであってもよいし、物理ユニットでなくてもよく、即ち、一箇所に位置してもよいし、複数のネットワークユニットに配置されてもよい。実際の必要に応じて、その一部又は全部のユニットを選択して本実施例案の目的を実現してもよい。
【０１１２】
また、本発明の各実施例において、各機能ユニットは１つの処理ユニットに統合されてもよく、各ユニットは独立して物理的に存在してもよく、２つ又は２つ以上のユニットは１つのユニットに統合されてもよい。
【０１１３】
該機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク機器等であってもよい）に本発明の各実施例における全部又は一部のステップを実行させるための複数のコマンドを含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１１４】
以上の説明は、本発明の具体的な実施形態に過ぎず、本発明の保護範囲を制限するためのものではなく、当業者が本発明に開示される技術的範囲内に容易に想到し得る変更又は置換は、いずれも本発明の保護範囲内に含まれるべきである。従って、本発明の保護範囲は特許請求の範囲に準じるべきである。
【図１】
2020532159.tif 000003
【図２】
2020532159.tif 000004
【図３】
2020532159.tif 000005
【図４】
2020532159.tif 000006
【図５】
2020532159.tif 000007
【手続補正書】
【提出日】令和2年6月23日(2020.6.23)
【手続補正１】
【補正対象書類名】明細書
【補正対象項目名】００４６
【補正方法】変更
【補正の内容】
【００４６】
例として、これに限定するもので無いものとして、前記端末装置が第一ＲＬＣ実体及び第二ＲＬＣ実体を含んでもよく、各ＲＬＣ実体が相応のＲＬＣキャッシュメモリに対応し、データコピー伝送機能がオンになった場合では、前記端末装置が伝送対象のＰＤＣＰ  ＰＤＵを２つにコピーすることができ、且つそれぞれ前記第一ＲＬＣ実体及び前記第二ＲＬＣ実体に送信し、前記第一ＲＬＣ実体及び前記第二ＲＬＣ実体により同じＰＤＣＰ  ＰＤＵを伝送する。
【手続補正２】
【補正対象書類名】明細書
【補正対象項目名】００６６
【補正方法】変更
【補正の内容】
【００６６】
選択肢として、第二ＲＬＣ実体のデータコピー機能がオン状態にあり、すなわち前記第二ＲＬＣ実体がデータ伝送に用いられないと、この場合では、前記端末装置が第二ＲＬＣキャッシュメモリにおける各ＲＬＣ  ＳＤＵに対応するタイマーのみをオフにして、第一ＲＬＣキャッシュメモリにおける各ＲＬＣ  ＳＤＵに対応するタイマーをオンにし続けることができる。
【手続補正３】
【補正対象書類名】特許請求の範囲
【補正対象項目名】全文
【補正方法】変更
【補正の内容】
【特許請求の範囲】
【請求項１】
データ処理の方法であって、
端末装置が第一指示情報に基づき、データコピー伝送機能の現在の状態を制御し、前記第一指示情報が前記データコピー伝送機能を有効にするかどうかを指示することに用いられることと、
前記端末装置が前記データコピー伝送機能の現在の状態に基づき、第一無線リンク制御（ＲＬＣ）キャッシュメモリ及び第二ＲＬＣキャッシュメモリにおける各ＲＬＣサービスデータユニット（ＳＤＵ）を処理し、第一ＲＬＣキャッシュメモリが第一ＲＬＣ実体に対応し、前記第二ＲＬＣキャッシュメモリが第二ＲＬＣ実体に対応することとを、含むことを特徴とするデータ処理の方法。
【請求項２】
前記端末装置が前記データコピー伝送機能の現在の状態に基づき、第一無線リンク制御（ＲＬＣ）キャッシュメモリ及び第二ＲＬＣキャッシュメモリにおける各ＲＬＣサービスデータユニット（ＳＤＵ）を処理することは、
前記第二ＲＬＣ実体のデータコピー伝送機能がオフ状態にある場合では、前記第二ＲＬＣキャッシュメモリにおける各ＲＬＣ  ＳＤＵを廃棄すること、を含むことを特徴とする請求項１に記載の方法。
【請求項３】
前記第二ＲＬＣキャッシュメモリが第二ＲＬＣ  ＳＤＵを含み、前記第二ＲＬＣ  ＳＤＵが第二タイマーに対応し、前記端末装置が前記データコピー伝送機能の現在の状態に基づき、第一無線リンク制御（ＲＬＣ）キャッシュメモリ及び第二ＲＬＣキャッシュメモリにおける各ＲＬＣサービスデータユニット（ＳＤＵ）を処理することは、
前記第二ＲＬＣ実体のデータコピー伝送機能がオフ状態にある前、前記第二ＲＬＣ  ＳＤＵが既に第二ＲＬＣ  ＰＤＵを生成した場合、前記端末装置がネットワーク装置に前記第二ＲＬＣ  ＰＤＵを伝送し又は前記第二ＲＬＣ  ＰＤＵを廃棄すること、を含むことを特徴とする請求項１又は２に記載の方法。
【請求項４】
前記端末装置がネットワーク装置に前記第二ＲＬＣ  ＰＤＵを伝送し又は前記第二ＲＬＣ  ＰＤＵを廃棄することは、
前記ネットワーク装置が既に前記第一ＲＬＣキャッシュメモリにおける前記第二ＲＬＣ  ＳＤＵのコピーデータを成功的に受信した場合、前記端末装置が前記第二ＲＬＣ  ＰＤＵを廃棄すること、又は
前記ネットワーク装置が、前記第一ＲＬＣキャッシュメモリにおける前記第二ＲＬＣ  ＳＤＵのコピーデータを成功的に受信できていない場合、前記端末装置が前記ネットワーク装置に前記第二ＲＬＣ  ＰＤＵを伝送すること、を含むことを特徴とする請求項３に記載の方法。
【請求項５】
前記端末装置が第一指示情報に基づき、データコピー伝送機能の現在の状態を制御することは、
前記第一指示情報が前記データコピー伝送機能を有効にすると指示すると、前記端末装置が前記データコピー伝送機能をオンにするように制御すること、又は
前記第一指示情報が前記データコピー伝送機能を無効にすると指示すると、前記端末装置が前記データコピー伝送機能をオフにするように制御すること、を含むことを特徴とする請求項１〜４のいずれか一項に記載の方法。
【請求項６】
前記方法はさらに、
前記端末装置はネットワーク装置が送信したＭＡＣ制御要素（ＣＥ）を受信し、ＭＡＣ  ＣＥが前記第一指示情報を含むことを含むことを特徴とする請求項１〜５のいずれか一項に記載の方法。
【請求項７】
前記方法はさらに、
前記データコピー伝送機能がオン状態にあると、前記端末装置のパケットデータ収束プロトコル（ＰＤＣＰ）実体が伝送対象のＰＤＣＰパケットデータユニット（ＰＤＵ）を２つにコピーし、且つそれぞれ前記第一ＲＬＣ実体及び前記第二ＲＬＣ実体に送信すること、又は
前記データコピー伝送機能がオフ状態にあると、前記端末装置のＰＤＣＰ実体が伝送対象のＰＤＣＰ  ＰＤＵを前記第一ＲＬＣ実体に送信すること、又は
前記データコピー伝送機能がオフ状態にあると、前記端末装置のＰＤＣＰ実体が伝送対象の第一ＰＤＣＰ  ＰＤＵを前記第一ＲＬＣ実体に送信し、伝送対象の第二ＰＤＣＰ  ＰＤＵを前記第二ＲＬＣ実体に送信し、前記第一ＰＤＣＰ  ＰＤＵと前記第二ＰＤＣＰ  ＰＤＵとが異なること、を含むことを特徴とする請求項１〜６のいずれか一項に記載の方法。
【請求項８】
データ処理の装置であって、
前記データコピー伝送機能を有効にするかどうかを指示するための第一指示情報に基づき、データコピー伝送機能の現在の状態を制御するための制御モジュールと、
前記データコピー伝送機能の現在の状態に基づき、第一無線リンク制御（ＲＬＣ）キャッシュメモリ及び第二ＲＬＣキャッシュメモリにおける各ＲＬＣサービスデータユニット（ＳＤＵ）を処理することに用いられ、第一ＲＬＣキャッシュメモリが第一ＲＬＣ実体に対応し、前記第二ＲＬＣキャッシュメモリが第二ＲＬＣ実体に対応する処理モジュールと、含むことを特徴とするデータ処理の装置。
【請求項９】
前記処理モジュールはさらに、
前記第二ＲＬＣ実体のデータコピー伝送機能がオフ状態にある場合では、前記第二ＲＬＣキャッシュメモリにおける各ＲＬＣ  ＳＤＵを廃棄することに用いられることを特徴とする請求項８に記載の装置。
【請求項１０】
前記第二ＲＬＣキャッシュメモリが第二ＲＬＣ  ＳＤＵを含み、前記第二ＲＬＣ  ＳＤＵが第二タイマーに対応し、前記処理モジュールはさらに、
前記第二ＲＬＣ実体のデータコピー伝送機能がオフ状態にある前、前記第二ＲＬＣ  ＳＤＵが既に第二ＲＬＣ  ＰＤＵを生成した場合、ネットワーク装置に前記第二ＲＬＣ  ＰＤＵを伝送し又は前記第二ＲＬＣ  ＰＤＵを廃棄することに用いられることを特徴とする請求項８又は９に記載の装置。
【請求項１１】
前記処理モジュールは具体的に、
前記ネットワーク装置が既に前記第一ＲＬＣキャッシュメモリにおける前記第二ＲＬＣ  ＳＤＵのコピーデータを成功的に受信した場合、前記第二ＲＬＣ  ＰＤＵを廃棄すること、又は
前記ネットワーク装置が、前記第一ＲＬＣキャッシュメモリにおける前記第二ＲＬＣ  ＳＤＵのコピーデータを成功的に受信できていない場合、前記ネットワーク装置に前記第二ＲＬＣ  ＰＤＵを伝送すること、に用いられることを特徴とする請求項１０に記載の装置。
【請求項１２】
前記制御モジュールは具体的に、
前記第一指示情報が前記データコピー伝送機能を有効にすると指示すると、前記データコピー伝送機能をオンにするように制御すること、又は
前記第一指示情報が前記データコピー伝送機能を無効にすると指示すると、前記データコピー伝送機能をオフにするように制御すること、に用いられることを特徴とする請求項８〜１１のいずれか一項に記載の装置。
【請求項１３】
前記装置はさらに、
ネットワーク装置が送信したＭＡＣ制御要素（ＣＥ）を受信することに用いられ、ＭＡＣ  ＣＥが前記第一指示情報を含む通信モジュールを含むことを特徴とする請求項８〜１２のいずれか一項に記載の装置。
【請求項１４】
前記装置はさらに、
前記データコピー伝送機能がオン状態にある場合では、伝送対象のＰＤＣＰパケットデータユニット（ＰＤＵ）を２つにコピーし、且つそれぞれ前記第一ＲＬＣ実体及び前記第二ＲＬＣ実体に送信すること、又は
前記データコピー伝送機能がオフ状態にある場合では、伝送対象のＰＤＣＰ  ＰＤＵを前記第一ＲＬＣ実体に送信すること、又は
前記データコピー伝送機能がオフ状態にある場合では、伝送対象の第一ＰＤＣＰ  ＰＤＵを前記第一ＲＬＣ実体に送信し、伝送対象の第二ＰＤＣＰ  ＰＤＵを前記第二ＲＬＣ実体に送信し、前記第一ＰＤＣＰ  ＰＤＵと前記第二ＰＤＣＰ  ＰＤＵとが異なること、に用いられる送信モジュールを含むことを特徴とする請求項８〜１３のいずれか一項に記載の装置。
【請求項１５】
データ処理の装置であって、メモリ、プロセッサを含み、前記メモリがコマンドを記憶することに用いられ、前記プロセッサが前記メモリに記憶されるコマンドを実行することに用いられ、請求項１〜６のいずれか一項に記載の方法を実行するデータ処理の装置。
【国際調査報告】
2020532159.tif 000008
2020532159.tif 000009
2020532159.tif 000010
2020532159.tif 000011